(57)【特許請求の範囲】
【請求項１】
浴槽に湯を供給可能な給湯機であって、
前記浴槽に接続された浴水流路に取り付けられ、当該浴水流路内圧力に基づいて前記浴槽の水位を検出するための水位センサーと、
前記浴水流路に現在取り付けられている前記水位センサーが、前記浴水流路内圧力が所定圧力である状況下において所定電圧以上の出力電圧を発する１〜２階用水位センサーであるか、或いは、前記浴水流路内圧力が前記所定圧力である状況下において前記所定電圧未満の出力電圧を発する３階用水位センサーであるかを判定するセンサー種類判定手段と、を備え、
前記センサー種類判定手段は、前記浴水流路内圧力が前記所定圧力である状況下における前記水位センサーの出力電圧が前記所定電圧以上である場合に、現在取り付けられている水位センサーが前記１〜２階用水位センサーであると判定し、前記浴水流路内圧力が前記所定圧力である状況下における前記水位センサーの出力電圧が前記所定電圧未満である場合に、現在取り付けられている水位センサーが前記３階用水位センサーであると判定するものであり、
前記センサー種類判定手段による前記水位センサーの種類の判定結果を文字もしくは音声で報知する報知手段を更に備えることを特徴とする給湯機。
【請求項２】
前記報知手段は、前記給湯機を遠隔制御するリモートコントローラに設けられた文字表示部であることを特徴とする請求項１に記載の給湯機。
【請求項３】
前記所定圧力は、大気圧力であり、
前記浴水流路は、前記浴槽に湯を供給する流路として機能するものであり、
前記給湯機は、前記浴槽に湯が供給される際に前記水位センサーよりも湯の流れの上流側となる部位において前記浴水流路に設けられ、前記浴槽への湯の供給を制御する電磁弁を更に備え、
前記センサー種類判定手段は、前記電磁弁が閉じられている状態で、前記水位センサーの種類の判定を実施することを特徴とする請求項１または２に記載の給湯機。
【請求項４】
前記報知手段は、前記センサー種類判定手段により判定された種類の水位センサーが、前記給湯機に備えておくべき正規の水位センサーと異なる種類のものである場合に、当該正規の水位センサーに交換することを促す文字もしくは音声での報知を行うことを特徴とする請求項１〜３のいずれかに記載の給湯機。
【発明の詳細な説明】
【技術分野】
【０００１】
この発明は、浴槽の水位を検出するための水位センサーを備える給湯機に関する。
【背景技術】
【０００２】
従来、浴槽の水位を検出するための水位センサーを備える給湯機では、給湯機の試運転時に、上記水位センサーを用いた水位検出回路の調整を行うようにしている（例えば、特許文献１参照）。このような水位検出回路の調整を行うことで、浴槽の設置階数によらずに、浴槽の水位検出を１種類の水位センサーで行うことができる。
【先行技術文献】
【特許文献】
【０００３】
【特許文献１】特開昭６３-２１４３８号公報
【発明の概要】
【発明が解決しようとする課題】
【０００４】
しかしながら、上記特許文献１に記載の従来技術において、水位検出回路の調整を行う場合、浴槽に湯はりをしながら、水位検出回路の調整用ボリュームで調整を行うという専門知識が必要である。このため、故障等の理由で水位センサーを交換する時に、水位検出回路を調整するための専門知識も必要となるという課題を有していた。
【０００５】
この発明は、上述のような課題を解決するためになされたもので、水位検出回路を調整するための専門知識がなくても、対象となる浴槽の設置階数に応じた適切な水位センサーに交換できるようにした給湯機を提供することを目的とする。
【課題を解決するための手段】
【０００６】
この発明に係る給湯機は、浴槽に湯を供給可能な給湯機であって、浴槽に接続された浴水流路に取り付けられ、当該浴水流路内圧力に基づいて浴槽の水位を検出するための水位センサーと、浴水流路に現在取り付けられている水位センサーが、浴水流路内圧力が所定圧力である状況下において所定電圧以上の出力電圧を発する１〜２階用水位センサーであるか、或いは、浴水流路内圧力が上記所定圧力である状況下において上記所定電圧未満の出力電圧を発する３階用水位センサーであるかを判定するセンサー種類判定手段と、を備え、センサー種類判定手段は、浴水流路内圧力が上記所定圧力である状況下における水位センサーの出力電圧が上記所定電圧以上である場合に、現在取り付けられている水位センサーが１〜２階用水位センサーであると判定し、浴水流路内圧力が上記所定圧力である状況下における水位センサーの出力電圧が上記所定電圧未満である場合に、現在取り付けられている水位センサーが３階用水位センサーであると判定するものであり、センサー種類判定手段による水位センサーの種類の判定結果を文字もしくは音声で表示する表示手段を更に備えるものである。
【発明の効果】
【０００７】
この発明によれば、水位検出回路を調整するための専門知識がなくても、対象となる浴槽の設置階数に応じた適切な水位センサーに交換できるようになる。
【図面の簡単な説明】
【０００８】
【図１】本発明の実施の形態１における貯湯式給湯機の全体構成を示す概略図である。
【図２】図２は、水頭−出力電圧特性を表した図である。
【図３】図１に示すリモートコントローラの外観図である。
【図４】本発明の実施の形態１において実行される処理を示すフローチャートである。
【図５】本発明の実施の形態２におけるリモートコントローラの外観図である。
【図６】本発明の実施の形態２において実行される処理を示すフローチャートである。
【発明を実施するための形態】
【０００９】
実施の形態１．
以下、本発明の実施の形態１について、図面を参照しながら説明する。なお、この実施の形態によって本発明が限定されるものではない。
【００１０】
図１は、本発明の実施の形態１における貯湯式給湯機１の全体構成を示す概略図である。図１に示す貯湯式給湯機１は、市水等の低温水を熱源機で湯に沸き上げて所望箇所に給湯する機能と、浴槽２内の浴水２ａを追い焚きする機能とを有するものであり、ヒートポンプユニット３とタンクユニット４と制御装置５とを備えている。また、貯湯式給湯機１は、浴槽２の設置階数として、１〜３階の何れにも対応可能なものであるが、ここでは、浴槽２が１階に設置された構成を例に挙げて説明する。以下、貯湯式給湯機１の各構成要素について説明する。
【００１１】
ヒートポンプユニット３は、ユニットケース６内に、冷媒を圧縮する圧縮機７と、沸上げ用熱交換器８と、膨張弁９と、蒸発器１０と、これらを環状に接続する冷媒循環配管１１とによって構成された冷凍サイクルシステムを有し、熱源機として機能する。一方、タンクユニット４は、貯湯タンク１２、給水管路１３、貯湯用循環管路１４、給湯管路１５、１次側循環管路１６、２次側循環管路１７、および追焚用熱交換器１８を有している。
【００１２】
貯湯タンク１２は、給水管路１３から供給される低温水を貯留すると共にヒートポンプユニット３で沸き上げられた湯を貯留する積層式の貯湯タンクである。この貯湯タンク１２の下部には、給水管路１３が接続される水導入口１２ａと、貯湯用循環管路１４の往き管１４ａが接続される水導出口１２ｂとが設けられており、当該貯湯タンク１２の上部には、貯湯用循環管路１４の戻り管１４ｂが接続される温水導入口１２ｃと、給湯管路１５が接続される温水導出口１２ｄとが設けられている。貯湯タンク１２は、常に満水状態に保たれる。
【００１３】
給水管路１３は、市水等の低温水を貯湯タンク１２、給湯管路１５、および所定の給湯先に供給する管路であり、第１〜第３給水管部１３ａ〜１３ｃおよび減圧弁１９を有している。第１給水管部１３ａは水道等の水源（図示せず）と貯湯タンク１２の水導入口１２ａとを繋ぎ、第２給水管部１３ｂは第１給水管部１３ａから分岐して、当該第１給水管部１３ａと後述の第１混合弁２０および第２混合弁２１とを繋ぎ、第３給水管部１３ｃは第１給水管部１３ａから分岐して当該第１給水管部１３ａと所定の給湯先とを繋ぐように構成されている。図１に示す構成例では、給湯先の例として１つの給湯栓２２が示されている。減圧弁１９は、第１給水管部１３ａにおける第３給水管部１３ｃの分岐箇所よりも下流側に設けられて、水源水圧が所定値以下となるように調整するための弁である。図１においては、第１給水管部１３ａでの低温水の流れ方向を実線の矢印で示している。
【００１４】
貯湯用循環管路１４は、貯湯タンク１２の水導出口１２ｂからヒートポンプユニット３中の沸上げ用熱交換器８を経由して貯湯タンク１２の温水導入口１２ｃに達する管路であり、貯湯用送水ポンプ２４が設けられた往き管１４ａと、戻り管１４ｂとを有している。往き管１４ａは水導出口１２ｂと沸上げ用熱交換器８とを繋ぎ、戻り管１４ｂは沸上げ用熱交換器８と温水導入口１２ｃとを繋ぐように構成されている。
【００１５】
給湯管路１５は、貯湯タンク１２の上部に貯留された湯と給水管路１３からの低温水とが第１混合弁２０または第２混合弁２１によって混合されることで所定温度となった湯を、浴槽２や所定の給湯先（図１においては給湯栓２２）に供給する管路であり、この第１混合弁２０および第２混合弁２１の他に第１〜第３給湯管部１５ａ〜１５ｃを有している。第１給湯管部１５ａは貯湯タンク１２の温水導出口１２ｄと第１および第２混合弁２０、２１とを繋ぎ、第２給湯管部１５ｂは第１混合弁２０と２次側循環管路１７の戻り管１７ｂとを繋ぎ、第３給湯管部１５ｃは第２混合弁２１と給湯栓２２とを繋ぐように構成されている。図１においては、給湯栓２２からの湯水の流出方向を破線の矢印で示している。
【００１６】
１次側循環管路１６は、貯湯タンク１２の温水導出口１２ｄから追焚用熱交換器１８を経由して貯湯タンク１２の下部に達する管路であり、往き管１６ａと、１次側送水ポンプ２５が設けられた戻り管１６ｂとを有している。往き管１６ａは貯湯タンク１２の温水導出口１２ｄと追焚用熱交換器１８上部の温水導入口１８ａとを繋ぎ、戻り管１６ｂは追焚用熱交換器８下部の温水導出口１８ｂと貯湯タンク１２の下部とを繋ぐように構成されている。図１に示す例では、第１給湯管部１５ａにおける貯湯タンク１２側の所定の区間が、往き管１６ａにおける貯湯タンク側の区間を兼ねている。
【００１７】
２次側循環管路１７は、浴槽２から追焚用熱交換器１８を経由して再び浴槽２に戻る管路であり、２次側送水ポンプ２６が設けられた往き管１７ａと、戻り管１７ｂとを有している。往き管１７ａは浴槽２と追焚用熱交換器１８下部の浴水導入口１８ｄとを繋ぎ、戻り管１７ｂは追焚用熱交換器１８上部の浴水導出口１８ｃと浴槽２とを繋ぐように構成されている。
【００１８】
追焚用熱交換器１８は、１次側循環管路１６を流れる湯と２次側循環管路１７を流れる浴水２ａとの間で熱交換を行って浴水２ａを加熱するものであり、図１に示す例では、複数の伝熱プレートが当該追焚用熱交換器１８の高さ方向に積層されたプレート式の水−水熱交換器が用いられているものとする。１次側循環管路１６および２次側循環管路１７の各々を接続することができるように、追焚用熱交換器１８の上部には上述した温水導入口１８ａと浴水導出口１８ｃとが、また下部には上述した温水導出口１８ｂと浴水導入口１８ｄとが設けられている。
【００１９】
給湯管路１５の第２給湯管部１５ｂには、第１混合弁２０で所定の温度に調節された混合水を浴槽２に注湯するために当該第２給湯管部１５ｂを開閉する湯はり電磁弁２７と、浴槽２への混合水の注湯量を検出する流量センサー２８とが設置されている。また、２次側循環管路１７の戻り管１７ｂには、２次側送水ポンプ２６によって往き管１７ａを介して２次側循環管路１７に吸込まれて循環された浴水２ａの流れの有無を検出する循環センサー２９が取り付けられている。更に、２次側循環管路１７の戻り管１７ｂには、浴槽２から当該戻り管１７ｂに導かれた浴水２ａの水圧に基づいて、浴槽２の水位を検出するための圧力式の水位センサー３０が取り付けられている。
【００２０】
タンクユニット４を構成する上述の構成部材のうち、給水管路１３、貯湯用循環管路１４、給湯管路１５、および２次側循環管路１７の各々は、その一部がユニットケース３１の外部にまで延在しており、残りの構成部材は、ユニットケース３１に納められている。
【００２１】
制御装置５は、上記のユニットケース３１内に配置された制御装置本体５ａと、台所や浴室等に配置されて制御装置本体５ａに有線接続または無線接続されたリモートコントローラ５ｂとを有している。制御装置本体５ａには、ヒートポンプユニット３、第１混合弁２０、第２混合弁２１、貯湯用送水ポンプ２４、１次側送水ポンプ２５、２次側送水ポンプ２６、湯はり電磁弁２７、流量センサー２８、循環スイッチ２９、および水位センサー３０がそれぞれ接続されている。
【００２２】
制御装置本体５ａは、当該制御装置本体５ａの入力装置として機能するリモートコントローラ５ｂにユーザが入力した情報や指令等に応じて、制御装置本体５ａに接続された上記の機器の動作を制御する。したがって、貯湯式給湯機１は、リモートコントローラ５ｂにユーザが入力した上述の情報や指令等に基づいて動作する。例えば、リモートコントローラ５ｂにユーザが入力した沸上げ開始時刻になると、制御装置５による制御の下で、ヒートポンプユニット３および貯湯用送水ポンプ２４が起動されて沸上げ運転が開始される。沸上げ運転は、貯湯タンク１２に設けられた温度センサ（図示せず）の検知結果から所定温度の湯が貯湯タンク１２に所定量貯留されたと判断されるまで継続される。この沸上げ運転の間に、貯湯タンク１２下部の水導出口１２ｂから貯湯用循環管路１４に低温水が流入し、ヒートポンプユニット３で湯に沸き上げられて貯湯タンク１２上部の温水導入口１２ｃから該貯湯タンク１２に戻される。
【００２３】
また、リモートコントローラ５ｂにユーザが湯はり運転の開始指令を入力すると、制御装置５による制御の下で、第２給湯管部１５ｂに設けられた湯はり電磁弁２７が開き、第２給湯管部１５ｂに設けられた温度センサ（図示せず）の検出湯温が、あらかじめリモートコントローラ５ｂにユーザが設定した湯はり湯温となるように、第１混合弁２０が制御される。これにより、第２給湯管部１５ｂから２次側循環管路１７を経由して浴槽２に浴水２ａの供給が開始される。続いて、制御装置５は、浴水２ａの供給量が所定量に達したことを流量センサー２８が検出した時に、浴槽２内の浴水２ａが所定量に達したと判断し、湯はり電磁弁２７を閉じ、湯はり運転を終了する。
【００２４】
また、リモートコントローラ５ｂにユーザが追焚運転の開始指令を入力すると、制御装置５による制御の下で、１次側送水ポンプ２５および２次側送水ポンプ２６が起動されて追焚運転が開始される。この追焚運転は、例えば往き管１７ａに配置された温度センサ（図示せず）の検知結果から浴槽２内の浴水２ａが所定温度にまで加熱されたと判断されるまで継続される。
【００２５】
以上説明した構成を有する貯湯式給湯機１では、浴槽２の水位を検出するための上記水位センサー３０として、１〜２階用水位センサー３０ａと３階用水位センサー３０ｂという２種類の水位センサーが用意されている。そして、浴槽２が設置される階数に応じて、使用される水位センサーが選択されるようになっている。例えば、図１に示す例では、浴槽２は１階に設置されているので、上記水位センサー３０として備えておくべき正規の水位センサーは、１〜２階用水位センサー３０ａとなる。
【００２６】
本実施形態では、水位センサー３０の水頭−出力電圧特性に特徴を有しているので、図２を参照して詳述する。図２は、そのような水頭−出力電圧特性を表した図であり、横軸が水位センサー３０に印加される水頭（ｍ）であり、縦軸が水位センサー３０の出力電圧（Ｖ）である。
【００２７】
図２に示すように、１〜２階用水位センサー３０ａは、一般住宅の１階に浴槽２が設置された場合の浴槽２の底面高さから２階に浴槽２が設置された場合の浴槽２の上面高さに対応して、水頭０ｍから３ｍの範囲で出力電圧が変化するように設定されている。一方、３階用水位センサー３０ｂは、一般住宅の３階に浴槽２が設置された場合の浴槽２の底面高さから上面高さに対応して、水頭４ｍから７ｍの範囲で出力電圧が変化するように設定されている。３階用水位センサー３０ｂにおいて水頭４ｍから７ｍの範囲に対する出力電圧の変化率は、１〜２階用水位センサー３０ａにおいて水頭０ｍから３ｍの範囲に対する出力電圧の変化率と同一に設定されている。
【００２８】
そのうえで、１〜２階用水位センサー３０ａは、大気圧が印加された状態（２次側循環管路１７の戻り管１７ｂに浴水２ａが滞留していない状態）において、所定電圧以上の電圧が出力されるように設定されている。もう一方の３階用水位センサー３０ｂは、大気圧が印加された状態において、上記所定電圧未満の電圧が出力されるように設定されている。ここでいう所定電圧とは、１〜２階用水位センサー３０ａおよび３階用水位センサー３０ｂのそれぞれの最低出力電圧より大きく、かつ１〜２階用水位センサー３０ａに大気圧が印加されたときの出力電圧以下の範囲に設定された電圧である。なお、１〜２階用水位センサー３０ａの最低出力電圧は、図２においては図示されていないが、３階用水位センサー３０ｂの最低出力電圧と同じである。
【００２９】
図３は、図１に示すリモートコントローラ５ｂの外観図である。リモートコントローラ５ｂは、その表示部３２に特徴を有しているので、図３を参照して詳述する。表示部３２は、貯湯式給湯機１の動作設定状態や動作状態を表示するものであり、更に、現在取り付けられている水位センサー３０の種類を文字で表示する水位センサー種類表示部３２ａを備えている。なお、リモートコントローラ５ｂには、浴槽２に湯はりを行うためのふろ自動スイッチ３３、追焚運転を行うための追焚スイッチ３４、湯はり完了水位の設定を行うためのふろ湯量スイッチ３５、浴槽２内の浴水温度の設定を行うためのふろ温度スイッチ３６、および給湯温度の設定を行うための給湯温度スイッチ３７がそれぞれ備えられている。
【００３０】
図４は、貯湯式給湯機１に現在取り付けられている水位センサー３０の種類を判別するために実行される処理を示すフローチャートである。図４に示すように、制御装置５は、先ず、湯はり電磁弁２７が開いたか否かを判定する（ステップＳ１）。その結果、湯はり電磁弁２７が開いた場合には、水位センサー３０の出力電圧と上記所定電圧との比較が実施されず、一方、湯はり電磁弁２７が開いていない場合には、水位センサー３０の出力電圧と上記所定電圧との比較が実施される（ステップＳ２）。
【００３１】
より具体的には、ステップＳ２では、現在取り付けられている水位センサー３０の出力電圧が上記所定電圧以上であるか否かが判定される。その結果、検出された水位センサー３０の出力電圧が上記所定電圧以上であると判定された場合には、現在取り付けられている水位センサー３０の種類が１〜２階用水位センサー３０ａとして制御装置５に記憶される（ステップＳ３）。
【００３２】
一方、上記ステップＳ２において、検出された水位センサー３０の出力電圧が上記所定電圧未満であると判定された場合には、現在取り付けられている水位センサー３０の種類が３階用水位センサー３０ｂとして制御装置５に記憶される（ステップＳ４）。
【００３３】
次に、制御装置５に記憶された水位センサー３０の種類が１〜２階用水位センサー３０ａであるか否かが判定される（ステップＳ５）。その結果、記憶されている水位センサー３０の種類が１〜２階用水位センサー３０ａであれば、リモートコントローラ５ｂの水位センサー種類表示部３２ａに、「１〜２階用水位センサー使用」と表示される（ステップＳ６）。一方、記憶されている水位センサー３０の種類が１〜２階用水位センサー３０ａでないと判定された場合、つまり、記憶されている水位センサー３０の種類が３階用水位センサー３０ｂであると判断できる場合には、リモートコントローラ５ｂの水位センサー種類表示部３２ａに、「３階用水位センサー使用」と表示される（ステップＳ７）。
【００３４】
本実施形態の貯湯式給湯機１によれば、上記図２に示すように水頭−出力電圧特性が設定された２種類の水位センサー３０ａ、３０ｂを用意しておいたうえで、上記図４に示すフローチャートの処理によって、水位センサー３０の出力電圧が上記所定電圧以上であるか否かを判定することにより、貯湯式給湯機１（２次側循環管路１７の戻り管１７ｂ）に現在取り付けられている水位センサー３０の種類が、１〜２階用水位センサー３０ａまたは３階用水位センサー３０ｂのどちらであるかを判定することができる。そして、上記処理によれば、現在取り付けられていると判定された水位センサー３０の種類が、リモートコントローラ５ｂの水位センサー種類表示部３２ａに表示される。これにより、ユーザは、水位センサー３０の交換作業を行う場合に、リモートコントローラ５ｂの表示に従い水位センサー３０を交換すればよいので、専門知識がなくても水位センサー３０を交換することが可能となる。
【００３５】
また、既述したように、上記図２に示す水頭−供給電圧特性では、大気圧印加時には、１〜２階用水位センサー３０ａは上記所定電圧以上の電圧を出力し、もう一方の３階用水位センサー３０ｂは上記所定電圧未満の電圧を出力するように設定されている。ここで、戻り管１７ｂに混合水が滞留している場合には、３階用水位センサー３０ｂが取り付けている場合であっても、混合水の水頭分だけ水位センサー３０に圧力が加わることで水位センサー３０の出力電圧が上記所定電圧以上の値となる。つまり、戻り管１７ｂに混合水が滞留している場合において、水位センサー３０の出力電圧と上記所定電圧との比較を実施することとすると、実際には３階用水位センサー３０ｂが取り付けられている場合であっても、１〜２階用水位センサー３０ａが取り付けられているものと誤判定される可能性がある。これに対し、上記図４に示す処理によれば、湯はり電磁弁２７が開いていない場合に、水位センサー３０の出力電圧と上記所定電圧との比較を実施するようにしている。湯はり電磁弁２７が開いていない状態では、２次側循環管路１７の戻り管１７ｂに湯はり電磁弁２７から送水される混合水が滞留していない状態となる。このような状態においては、水位センサー３０の出力電圧として、大気圧印加時の出力電圧を検出することができる。したがって、上記処理によって湯はり電磁弁２７が開いていない場合（大気圧印加時）に水位センサー３０の種類の判定を実施することにより、３階用水位センサー３０ｂを１〜２階用水位センサー３０ａと間違えて判断することなく、水位センサー３０の種類を正確に判定することが可能となる。
【００３６】
実施の形態２．
図５は、本発明の実施の形態２におけるリモートコントローラ５ｂの外観図である。本実施形態のリモートコントローラ５ｂの表示部３２は、浴槽２の設置階数に対応していない種類の水位センサー３０が取り付けられた場合に、水位センサー３０の交換を促す文字での警告表示を行う水位センサー交換表示部３２ｂを備えている点に特徴を有している。
【００３７】
図６は、貯湯式給湯機１に取り付けられる水位センサー３０が正規の水位センサーであるか否かを判定するために、本発明の実施の形態２において実行される処理を示すフローチャートである。図６に示すように、制御装置５は、先ず、正規の（浴槽２の設置階数に応じて備えておくべき）水位センサー３０の種類が制御装置５内に記憶されているか否かを判定する（ステップＳ１０）。
【００３８】
その結果、正規の水位センサー３０の種類が制御装置５に記憶されている場合には、湯はり電磁弁２７が開いていない状態において、大気圧印加時の水位センサー３０の出力電圧が上記所定電圧以上であるか否かが判定される（ステップＳ１１）。その結果、水位センサー３０の出力電圧が所定電圧以上であると判定された場合は、現在取り付けられている水位センサー３０が１〜２階用水位センサー３０ａであると判断することができる。この場合には、次いで、制御装置５に記憶された水位センサー３０の種類が１〜２階用水位センサー３０ａであるか否かが判定される（ステップＳ１２）。
【００３９】
上記ステップＳ１２において、制御装置５に記憶された水位センサー３０の種類が１〜２階用水位センサー３０ａであると判定された場合は、リモートコントローラ５ｂの水位センサー交換表示部３２ｂに、「１〜２階用水位センサー使用」と表示される（ステップＳ１３）。一方、上記ステップＳ１２の判定が不成立である場合、つまり、制御装置５に記憶された水位センサー３０の種類が３階用水位センサー３０ｂであると判断できる場合は、リモートコントローラ５ｂの水位センサー交換表示部３２ｂに、「３階用水位センサーに交換してください」と表示される（ステップＳ１４）。
【００４０】
また、上記ステップＳ１１において、水位センサー３０の出力電圧が所定電圧未満であると判定された場合は、現在取り付けられているのが３階用水位センサー３０ｂであると判断することができる。この場合には、次いで、制御装置５に記憶された水位センサー３０の種類が１〜２階用水位センサー３０ａであるか否かが判定される（ステップＳ１５）。
【００４１】
上記ステップＳ１５において、制御装置５に記憶された水位センサー３０の種類が１〜２階用水位センサー３０ａであると判定された場合は、リモートコントローラ５ｂの水位センサー交換表示部３２ｂに、「１〜２階用水位センサーに交換してください」と表示される（ステップＳ１６）。一方、上記ステップＳ１５の判定が不成立である場合、つまり、制御装置５に記憶された水位センサー３０の種類が３階用水位センサー３０ｂであると判断できる場合は、リモートコントローラ５ｂの水位センサー交換表示部３２ｂに、「３階用水位センサー使用」と表示される（ステップＳ１７）。
【００４２】
本実施の形態２においても、水位センサー３０として、１〜２階用水位センサー３０ａと３階用水位センサー３０ｂという２種類のものが浴槽２の設置階数別に用意されており、貯湯式給湯機１には、予め浴槽２の設置階数に対応した水位センサー３０が取り付けられている。そして、以上説明した図６に示すフローチャートの処理によれば、予め取り付けられていた水位センサー３０と交換された水位センサー３０とが同一であるか否かが判定される。そして、間違っている場合、つまり、貯湯式給湯機１に予め取付けられた（制御装置５に記憶されている）正規の水位センサー３０と異なる水位センサー３０に交換された場合には、リモートコントローラ５ｂに正規の水位センサー３０に交換するように促す旨の表示が行われる。これにより、ユーザは、水位センサー３０の交換作業を行う場合に、リモートコントローラ５ｂの表示に従い水位センサー３０を交換すればよいので、専門知識がなくても水位センサー３０を交換することが可能となる。
【００４３】
ところで、上述した実施の形態１においては、水位センサー３０の種類の判定結果を文字で表示する表示手段として、リモートコントローラ５ｂの表示部３２に水位センサー種類表示部３２ａを備えるようにしている。また、上述した実施の形態２においては、正規の水位センサー３０と異なる水位センサー３０に交換された場合に正規の水位センサー３０に交換するように促す旨を文字で表示する表示手段として、リモートコントローラ５ｂの表示部３２に水位センサー交換表示部３２ｂを備えるようにしている。しかしながら、本発明において表示手段は、水位センサーの種類の判定結果や当該水位センサーの交換を促す旨を文字にて表示する手段に限られず、それらを音声にて報知する手段（例えばリモートコントローラ５ｂに備えられたスピーカー（図示省略））であってもよい。
【００４４】
また、上述した実施の形態１および２においては、水位センサー３０を２次側循環管路１７の戻り管１７ｂに取り付けるようにしている。しかしながら、本発明において水位センサーが取り付けられる浴水流路は、これに限定されず、例えば、２次側循環管路１７の往き管１７ａであってもよい。
【符号の説明】
【００４５】
１  貯湯式給湯機
２  浴槽
５  制御装置
５ａ  制御装置本体
５ｂ  リモートコントローラ
１６  １次側循環管路
１７  ２次側循環管路
３０  水位センサー
３０ａ  １〜２階用水位センサー
３０ｂ  ３階用水位センサー
３２  リモートコントローラの表示部
３２ａ  水位センサー種類表示部
３２ｂ  水位センサー交換表示部
【図１】
0005428876.tif 000002
【図２】
0005428876.tif 000003
【図３】
0005428876.tif 000004
【図４】
0005428876.tif 000005
【図５】
0005428876.tif 000006
【図６】
0005428876.tif 000007